(57)【要約】      （修正有）【課題】人体におけるいずれの部位であっても、指圧、あんま効果を確実に得ることができることに加え、継続して使用することによって健康状態の改善効果および痩身効果を得ることができ、しかも、高い利便性を有するマッサージ具を提供する。【解決手段】このマッサージ具は、手で握って保持可能な大きさのグリップ部１１と、当該グリップ部に設けられた複数の作用部２０とからなり、各作用部の頂端が凹面Ｒに沿って位置されていることを特徴とする。【選択図】図４
2008253641.tif 000002
【特許請求の範囲】
【請求項１】
片手で握って保持可能な大きさのグリップ部と、当該グリップ部に突出して設けられた４つ以上の作用部とからなり、各作用部の頂端が凹面に沿って位置されていることを特徴とするマッサージ具。
【請求項２】
グリップ部は長円形の枠状のものであって、長軸方向における中央部が内方側に円弧状に湾曲していると共にこの湾曲した部分における最近接部分が短軸方向に伸びる連結桿によって連結されてなり、
グリップ部の長軸方向に沿って少なくとも２つ以上の作用部が並ぶと共にグリップ部の短軸方向に沿って少なくとも２つ以上の作用部が並んだ状態とされていることを特徴とする請求項１に記載のマッサージ具。
【請求項３】
グリップ部の長軸方向における一端側の位置に第１の作用部が設けられていると共に他端側の位置に第２の作用部および第３の作用部が設けられており、更に、連結桿に第４の作用部が設けられており、
第１の作用部および第４の作用部がグリップ部の長軸方向に沿って並ぶと共に、第２の作用部および第３の作用部がグリップ部の短軸方向に沿って並んだ状態とされていることを特徴とする請求項２に記載のマッサージ具。
【請求項４】
第１の作用部および第４の作用部がグリップ部に対して垂直方向に伸びるよう設けらており、第２の作用部および第３の作用部がグリップ部に対して外方に傾斜して伸びるよう設けられていることを特徴とする請求項３に記載のマッサージ具。
【請求項５】
作用部の各々は、先端に球状のヘッド部を有し、第１の作用部におけるヘッド部の外径の大きさが、他の作用部におけるヘッド部の外径より大きいことを特徴とする請求項３または請求項４に記載のマッサージ具。
【発明の詳細な説明】
【技術分野】
【０００１】
本発明はマッサージ具に関する。
【背景技術】
【０００２】
従来、マッサージ装置としては、例えば椅子式またはベッド式などの大型のマッサージ装置や、把手と、ボールまたはローラーなどのマッサージヘッドとよりなる小型のマッサージ装置などが知られている。
ところで、例えば体を揉んだり叩いたりして体表に刺激を与えて行うマッサージ方法は、血行を良くし、疲労を取り去り、肩凝り、頭痛等の症状を緩和するのに効果があることが知られている。
そして、このようなマッサージは、必要なときに例えば疲労を感じたときやリラックスしたいときに行うことが有効であるため、携帯可能な小型のマッサージ具が要請されており、これまでに種々のタイプのものが提案されている（例えば特許文献１参照）。
【０００３】
【特許文献１】実用新案登録第３０４６４１９号公報
【発明の開示】
【発明が解決しようとする課題】
【０００４】
しかしながら、従来公知の携帯可能な小型のマッサージ具は、人体が筋肉や骨格の違いからあらゆる凹凸や曲線や形状を有しているにも関わらず、特定の部位にしか対応していない構成のものが多く、このような構成上の理由から、適用部位および使用方法などの制約が大きく、しかも、十分なマッサージ効果を得られないことがある、という不都合がある。
【０００５】
本発明は、以上のような事情に基づいてなされたものであって、人体におけるいずれの部位であっても、指圧、あんま効果を確実に得ることができることに加え、継続して使用することによって健康状態の改善効果および痩身効果を得ることができ、しかも、高い利便性を有するマッサージ具を提供することを目的とする。
【課題を解決するための手段】
【０００６】
本発明のマッサージ具は、片手で握って保持可能な大きさのグリップ部と、当該グリップ部に突出して設けられた４つ以上の作用部とからなり、各作用部の頂端が凹面に沿って位置されていることを特徴とする。
【０００７】
本発明のマッサージ具においては、グリップ部は長円形の枠状のものであって、長軸方向における中央部が内方側に円弧状に湾曲していると共にこの湾曲した部分における最近接部分が短軸方向に伸びる連結桿によって連結されてなり、
グリップ部の長軸方向に沿って少なくとも２つ以上の作用部が並ぶと共にグリップ部の短軸方向に沿って少なくとも２つ以上の作用部が並んだ状態とされた構成とすることができる。
【０００８】
また、本発明のマッサージ具においては、グリップ部の長軸方向における一端側の位置に第１の作用部が設けられていると共に他端側の位置に第２の作用部および第３の作用部が設けられており、更に、連結桿に第４の作用部が設けられており、
第１の作用部および第４の作用部がグリップ部の長軸方向に沿って並ぶと共に、第２の作用部および第３の作用部がグリップ部の短軸方向に沿って並んだ状態とされた構成のものとすることができる。
このような構成のマッサージ具においては、第１の作用部および第４の作用部がグリップ部に対して垂直方向に伸びるよう設けられており、第２の作用部および第３の作用部がグリップ部に対して外方に傾斜して伸びるよう設けられた構成、さらに、作用部の各々は、先端に球状のヘッド部を有し、第１の作用部として、ヘッド部の外径の大きさが、他の作用部におけるヘッド部の外径より大きいものが用いられた構成とすることができる。
【発明の効果】
【０００９】
本発明のマッサージ具によれば、各々頂端が凹面に沿って位置されている４つ以上の作用部を有していることにより、適用部位および使用方法についての制限が緩和されて人体のあらゆる部位に対しても十分な接触状態を達成することができるので、適用部位や使用者に応じた適正な刺激を得ることができる結果、十分な指圧、あんま効果（マッサージ効果）を得ることができ、しかも、継続して使用することにより、健康状態の改善効果や痩身効果を得ることができる。
また、グリップ部が片手で握って保持可能な大きさであることにより、マッサージ具を十分に小型のものとして構成することができるので、携帯に便利で、場所を選ばずに必要なときにマッサージを行うことができ、従って、高い利便性を有するものとなる。
さらに、目的とする部位に押圧状態で動かして使用するものであることにより、構造上の理由から、一の場所（例えばツボ）に対して圧力の連続的変化（刺激の変化）を自然に得ることができるので、例えば握力の小さい使用者であっても、所期の効果を確実に得ることができる。
【００１０】
さらにまた、複数の突起のグリップ部に対する配置位置や姿勢、あるいは、作用部を構成する球状のヘッド部の径の大きさを特定の構成のものとすることにより、上記効果を一層確実に得ることができる。
【発明を実施するための最良の形態】
【００１１】
以下、本発明について、図面を参照して説明する。
図１乃至図１０は、本発明のマッサージ具の一例における構成を示す説明図であって、図１が正面図、図２が背面図、図３が左側面図、図４が右側面図、図５が平面図、図６が底面図であり、図７がＡ−Ａ線断面図、図８がＢ−Ｂ線断面図、図９がＣ−Ｃ線切断部端面図、図１０がＤ−Ｄ線切断部端面図である。以下、本明細書においては、図５（平面図）における左右方向を「長手方向」、図５における上下方向を「幅方向」、図５の紙面に対して垂直な方向を「高さ方向」というものと定義する。
このマッサージ具１０は、片手で握って保持可能な大きさのグリップ部１１と、このグリップ部１１に設けられた４つ以上、この実施例においては４つの作用部とにより構成されている。
【００１２】
グリップ部１１は、長円形の枠状のものであって、長軸方向（長手方向）における中央部が内方側に円弧状に湾曲していると共にこの湾曲した部分における最近接部分が短軸方向（幅方向）に伸びるよう設けられた例えばロッド状の連結桿１２によって連結されている。
グリップ部１１の枠部分の端面形状は、握りやすい形状であれば特に制限されないが、例えば円形または楕円形とされていることが好ましい。
グリップ部１１を構成する材料としては、例えばプラスチックスや木材などの、軽量でかつ弾性を有さないものを用いることができる。
【００１３】
このマッサージ具１０においては、グリップ部１１の長手方向における一端側に第１の作用部である突起（以下、「第１突起２０Ａ」という。）が設けられていると共に他端側に第２の作用部である突起（以下、「第２突起２０Ｂ」という。）および第３の作用部である突起（以下、「第３突起２０Ｃ」という。））の２つの作用部が設けられており、更に、連結桿１２に第４の作用部である突起（以下、「第４突起２０Ｄ」という。）が設けられている。なお、以下においては、特に言及する場合を除いて、「一端側」および「他端側」とは、長手方向の方向を示すものとする。
【００１４】
第１突起２０Ａは、基端から先端に向かって拡径となる柱状の頚部２１Ａと、この頚部２１Ａの先端に連続する球状のヘッド部（「マッサージボール」とも称される）２２Ａと、頚部２１Ａの基端に形成された装着部２３Ａとを有し、例えばプラスチックやゴムによって一体に形成されたものにより構成されている。
また、第２突起２０Ｂ、第３突起２０Ｃおよび第４突起２０Ｄの各々は、第１突起２０Ａと同様に、柱状の頚部と、球状のヘッド部と、装着部とにより構成されており、第１突起２０Ａと同一の構成部分（大きさ等の構成は異なる）については、便宜上、「Ａ」をそれぞれ「Ｂ」、「Ｃ」、「Ｄ」に代えて同一の符号が付してある。
【００１５】
以下、各々の突起の配置位置およびグリップ部１１に対する姿勢について具体的に説明する。
第１突起２０Ａは、グリップ部１１の一端側の上方面における幅方向の中央位置において、中心軸Ｃ１が鉛直方向に伸びる姿勢で、グリップ部１１に形成された被装着部１８に例えば一体に固定されている。
第２突起２０Ｂおよび第３突起２０Ｃは、グリップ部１１の他端側の上方面における、幅方向の中央位置を挟んだ外面側の位置において、各々、中心軸Ｃ２、Ｃ３が外方側上方に傾斜して伸びる姿勢で、グリップ部１１に形成された被装着部１８に例えば一体に固定されている。
第４突起２０Ｄは、グリップ部１１の連結桿１２における幅方向の中央位置において、中心軸Ｃ４が鉛直方向に伸びる姿勢で、グリップ部１１に形成された被装着部１８に例えば一体に固定されている。
従って、このマッサージ具１０においては、第１突起２０Ａおよび第４突起２０Ｄの２つの突起がグリップ部１１の長手方向に沿って並ぶと共に、第２突起２０Ｂおよび第３突起２０Ｃの２つの突起がグリップ部１１の幅方向に沿って並んだ状態とされている。
【００１６】
以上において、グリップ部１１における被装着部１８は、突起の頚部の基端面が対接される平坦面１８Ａを有すると共に当該平坦面１８Ａに対して垂直な方向に伸びるよう形成された装着用孔１８Ｂを有し、突起の装着部が装着用孔１８Ｂ内に例えば嵌合されている。
【００１７】
このマッサージ具１０においては、４つの突起のすべてが互いに同一の構成のものではなく、ヘッド部の外径の大きさおよび頚部の長さ（高さ）の一方または両方が他のものと異なる構成のものが用いられている。具体的には、次のような関係を満足する構成とされている。
（イ）第１突起２０Ａにおけるヘッド部２２Ａの外径の大きさをＤ１、第２突起２０Ｂにおけるヘッド部２２Ｂの外径の大きさをＤ２、第３突起２０Ｃにおけるヘッド部２２Ｃの外径の大きさをＤ３、第４突起２０Ｄにおけるヘッド部２２Ｄの外径の大きさをＤ４とするとき、Ｄ１＞Ｄ２＝Ｄ３＝Ｄ４、
（ロ）第１突起２０Ａにおける頚部２１Ａの長さをＨ１、第２突起２０Ｂにおける頚部２１Ｂの高さをＨ２、第３突起２０Ｃにおける頚部２１Ｃの高さをＨ３、第４突起２０Ｄにおける頚部２１Ｄの高さをＨ４とするとき、Ｈ１＞Ｈ２＝Ｈ４＞Ｈ３である。
【００１８】
従って、このマッサージ具１０においては、上述したように、第２突起２０Ｂおよび第３突起２０Ｃは、中心軸Ｃ２、Ｃ３が外方側上方に傾斜して伸びる姿勢で、グリップ部１１に一体に固定されていることから、各突起の頂端の高さレベル位置が次に示す関係を満足する状態とされている。
基準レベル面（グリップ部１１の底面）Ｌ0 からの、第１突起２０Ａの頂端の高さレベル位置をＬ1 、第２突起２０Ｂの頂端の高さレベル位置をＬ2 、第３突起２０Ｃの頂端の高さレベル位置をＬ3 、第４突起２０Ｄの頂端の高さレベル位置をＬ4 とするとき、Ｌ1 ＞Ｌ4 ＞Ｌ2 ＞Ｌ3 であり、各突起の頂端が例えば人体の表面に沿った凹面Ｒ（図４参照）に沿って位置された状態、換言すれば、第１の突起２０Ａ、第２の突起２０Ｂおよび第３の突起２０Ｃの各々のヘッド部２２Ａ、２２Ｂ、２２Ｃに接する仮想平面（図示せず）を想定したとき、第４の突起２０Ｄのヘッド部２２Ｄは当該仮想平面に接しない状態とされている。
【００１９】
本発明のマッサージ具１０の一構成例は、以下に示す通りである。
【００２０】
〔グリップ部（１１）〕
長手方向の寸法が１０８ｍｍ、幅方向の寸法が５４ｍｍ（突起を除く）、グリップ部の枠部分の端面（円形状）の径がφ１４ｍｍ、湾曲した部分における幅方向の寸法が４８ｍｍである。
〔第１突起（２０Ａ）〕
ヘッド部の外径（Ｄ１）がφ２６ｍｍ、頚部の高さ（Ｈ１）が１５ｍｍである。
〔第２突起（２０Ｂ）〕
ヘッド部の外径（Ｄ２）がφ２３ｍｍ、頚部の高さ（Ｈ２）が１０ｍｍ、中心軸Ｃ２の長手方向に対する傾斜角（α１）が５度、中心軸Ｃ２の幅方向に対する傾斜角（α２）が１０度であり、配置位置は、グリップ部１１の他端側円弧状端部部分１３における曲率中心（Ｏ）を中心として幅中心位置から４５度の角度位置（θ１）である。
〔第３突起（２０Ｃ）〕
ヘッド部の外径（Ｄ３）がφ２３ｍｍ、頚部の高さ（Ｈ３）が５ｍｍ、中心軸Ｃ３の長手方向に対する傾斜角（β１）が５度、中心軸Ｃ３の幅方向に対する傾斜角（β２）が５度であり、配置位置は、グリップ部１１の他端側円弧状端部部分１３における曲率中心（Ｏ）を中心として、幅中心位置から当該幅中心位置を挟んで第２突起（２０Ｂ）の反対方向に３０度の角度位置（θ２）である。
〔第４突起（２０Ｄ）〕
ヘッド部の外径（Ｄ４）がφ２３ｍｍ、頚部の高さ（Ｈ４）が１０ｍｍである。
【００２１】
基準レベル面Ｌ0 からの、第１突起２０Ａの頂端の高さレベル位置（Ｌ1 ）が５８ｍｍ、第２突起２０Ｂの頂端の高さレベル位置（Ｌ2 ）が４２ｍｍ、第３突起２０Ｃの頂端の高さレベル位置（Ｌ3 ）が４０ｍｍ、第４突起２０Ｄの頂端の高さレベル位置（Ｌ4 ）が４４ｍｍ（Ｌ1 ＞Ｌ4 ＞Ｌ2 ＞Ｌ3 ）である。
マッサージ具１０の総重量は１００ｇ程度である。
【００２２】
上記構成のマッサージ具１０は、例えば、使用者自身がグリップ部１１を手で握って保持し、目的とする部位に対して例えばすべての突起２０Ａ、２０Ｂ、２０Ｃ、２０Ｄが接触する状態（面接触）となるようマッサージ具１０の当て方または持ち方を調整して押圧させたままの状態で動かして、使用される。
マッサージ具１０の動かし方、すなわちマッサージ方法は特に限定されるものではなく、例えば（１）体表に沿って上下にこする方法、（２）マッサージ具全体を円を描くようにしてこする方法、（３）一つの突起を中心として円を描くようにしてこする方法、（４）なで上げるようにしてこする方法等を例示することができる。
また、マッサージを行うべき部位（適用部位）は特に限定されるものではなく、例えばこめかみ、額、前頭部、後頭部、側頭部、頬、首筋、胸部、腹部、下腹部、腰部、大腿部、脇の下、上腕部、肩、脇腹、脛、足の裏、掌などを例示することができる。
【００２３】
以上のようなマッサージ方法においては、いずれの方法においても、適用部位に関わらず、マッサージ具１０全体を押し当てる力を使用者自身が調整することなしに、各突起によって異なる刺激が得られる。
例えばマッサージ具１０をその長手方向に沿って動かして使用する場合には、第１突起２０Ａと第４突起２０Ｄとが移動方向に並んだ状態とされ、所定の部位に対して互いに高さレベル位置の異なる２つの突起２０Ａ、２０Ｄによって、マッサージ具１０の移動に伴って連続的に変化する刺激が与えられることになる。
また、マッサージ具１０をその幅方向に沿って動かして使用する場合には、第２突起２０Ｂと第３突起２０Ｃとが実質的に移動方向に並んだ状態とされ、これら２つの突起２０Ｂ、２０Ｃによって、マッサージ具１０の移動に伴って連続的に変化する刺激が与えられることになる。
さらにまた、第４突起２０Ｄを中心として円を描くように動かして使用した場合には、第１突起２０Ａ、第２突起２０Ｂおよび第３突起２０Ｃの３つの突起が回転方向に沿って並んだ状態とされ、これら３つの突起２０Ａ、２０Ｂ、２０Ｃによって、マッサージ具１０の移動に伴って連続的に変化する刺激が与えられることになる。
【００２４】
而して、上記構成のマッサージ具１０によれば、（１）各々先端の高さレベル位置が互いに異なる４つの突起２０Ａ、２０Ｂ、２０Ｃ、２０Ｄが特定の位置に設けられていること、（２）４つの突起の構成、具体的には球状のヘッド部の径の大きさおよび頚部の長さ（高さ）が互いに異なること、（３）第２突起２０Ｂおよび第３突起２０Ｃが外方側に傾斜して伸びるよう固定されていることにより、各突起の頂端が凹面Ｒに沿って位置された状態とされ、このような構成とされていることにより、ヘッド部における接触部分（図４において斜線で示す）が変わるだけで、適用部位および使用方法などについての制限が緩和されて人体のあらゆる部位に対しても十分な接触状態を達成することができるので、適用部位や使用者に応じた適正な刺激を得ることができる結果、十分な指圧、あんま効果（マッサージ効果）を得ることができ、しかも、継続して使用することにより、健康状態の改善効果や痩身効果あるいは病気の予防効果を得ることができる。
また、グリップ部１１が片手で握って保持可能な大きさであることにより、マッサージ具１０を十分に小型のものとして構成することができるので、携帯に便利で、場所を選ばずに、必要なときにマッサージを行うことができ、従って、高い利便性を有するものとなる。
さらに、目的とする部位に押圧状態で動かして使用するものであることにより、構造上の理由から、一の場所（例えば体表にある特定の経絡）に対して圧力の連続的変化（刺激の変化）を自然に得ることができるので、例えば握力の小さい使用者であっても、所期の効果を確実に得ることができる。
さらにまた、体表に接触する突起におけるヘッド部が球状であることにより、マッサージ時において美容効果を得ることができる。
【００２５】
以上、本発明の実施形態について説明したが、本発明は上記の実施形態に限定されるものではなく、種々の変更を加えることができる。
例えば、突起（作用部）の数および配置位置等の具体的構成は、目的に応じて適宜に設計変更することができる。
また、突起のグリップ部に対する固定方法は、例えば突起における装着部の外周面にネジ部を形成して螺合により着脱可能に固定されるようにされていてもよい。
さらに、本発明のマッサージ具の使用方法および適用部位についての制約は実質上なく、使用者自身が自由に利用することができる。例えば本発明のマッサージ具は手で握って使用する必要はなく、例えばマッサージ具を床面等に置いた状態で、使用者が所定部位に当たるよう体の位置を合わせた後、そのまま体重をかけて押し当てるようにしてマッサージを行うようにしてもよい。
【００２６】
さらにまた、本発明のマッサージ具においては、図１１に示すように、例えば各突起を透明な樹脂材料により構成し、突起における頚部の基端面とグリップ部における装着部の平坦面との間に、適宜の色彩あるいは模様が付された例えば円形状の装飾シート３０が介在されて配置され、この装飾シート３０の色彩あるいは模様が外部から視認可能とされた構成のものとすることができる。
このような構成のものによれば、外観意匠性に優れたものとなる共に興趣に富んだものとなる。
【図面の簡単な説明】
【００２７】
【図１】本発明のマッサージ具の一例における構成を示す正面図である。
【図２】図１に示すマッサージ具の背面図である。
【図３】図１に示すマッサージ具の左側面図である。
【図４】図１に示すマッサージ具の右側面図である。
【図５】図１に示すマッサージ具の平面図である。
【図６】図１に示すマッサージ具の底面図である。
【図７】図１に示すマッサージ具におけるＡ−Ａ線断面図である。
【図８】図１に示すマッサージ具におけるＢ−Ｂ線断面図である。
【図９】図１に示すマッサージ具におけるＣ−Ｃ線切断部端面図である。
【図１０】図１に示すマッサージ具におけるＤ−Ｄ線切断部端面図である。
【図１１】本発明のマッサージ具の他の例における構成の一部を示す説明図であって、（イ）分解斜視図、（ロ）平面図である。
【符号の説明】
【００２８】
１０  マッサージ具
１１  グリップ部
１２  連結桿
１３  他端側円弧状端部部分
１８  被装着部
１８Ａ  平坦面
１８Ｂ  装着用孔
２０Ａ  第１突起
２０Ｂ  第２突起
２０Ｃ  第３突起
２０Ｄ  第４突起
２１Ａ，２１Ｂ，２１Ｃ，２１Ｄ  頚部
２２Ａ，２２Ｂ，２２Ｃ，２２Ｄ  ヘッド部
２３Ａ，２３Ｂ，２３Ｃ，２３Ｄ  装着部
Ｃ１  第１突起の中心軸
Ｃ２  第２突起の中心軸
Ｃ３  第３突起の中心軸
Ｃ４  第４突起の中心軸
３０  装飾シート
【図１】
2008253641.tif 000003
【図２】
2008253641.tif 000004
【図３】
2008253641.tif 000005
【図４】
2008253641.tif 000006
【図５】
2008253641.tif 000007
【図６】
2008253641.tif 000008
【図７】
2008253641.tif 000009
【図８】
2008253641.tif 000010
【図９】
2008253641.tif 000011
【図１０】
2008253641.tif 000012
【図１１】
2008253641.tif 000013